(57)【要約】【課題】シロッコファンの配置スペースを省スペース化しつつ、電源ユニットの冷却効率を向上することができるプロジェクターを提供すること。【解決手段】プロジェクターは、光源を駆動する光源駆動ブロック５３の回路基板５３１と回路基板５３１を含む各構成要素に電力を供給する電源ブロック５１の回路基板５１１とが積層配置される電源ユニット５と、電源ユニット５の側方に配設され、電源ユニット５に空気を吐出するシロッコファン６と、シロッコファン６の吐出口６２から吐出された空気を電源ユニット５に導くダクト部５２１とを備え、シロッコファン６は、吐出口６２からの空気の吐出方向が各回路基板５１１，５３１の積層方向に対して近接するように傾斜して配設されている。【選択図】図５
2010224223.tif 000002
【特許請求の範囲】
【請求項１】
光源から射出された光束を画像情報に応じて変調して投射するプロジェクターであって、
前記光源を駆動する第１の回路基板と前記第１の回路基板を含む各構成要素に電力を供給する第２の回路基板とが積層配置される電源ユニットと、
前記電源ユニットの側方に配設され、前記電源ユニットに空気を吐出するシロッコファンと、
前記シロッコファンの吐出口から吐出された空気を前記電源ユニットに導くダクトとを備え、
前記シロッコファンは、
前記吐出口からの空気の吐出方向が前記各回路基板の積層方向に対して近接するように傾斜して配設されている
ことを特徴とするプロジェクター。
【請求項２】
請求項１に記載のプロジェクターにおいて、
前記シロッコファンは、
前記ダクトを介して前記各回路基板のいずれか一方の回路基板に空気を吐出し、
前記第１の回路基板と第２の回路基板との間には、区画板が配設され、
前記区画板には、
前記シロッコファンの前記吐出方向に沿って延出し、前記シロッコファンを支持する支持部が形成されている
ことを特徴とするプロジェクター。
【請求項３】
請求項１または請求項２に記載のプロジェクターにおいて、
前記シロッコファンは、
前記ダクトを介して前記各回路基板のいずれか一方の回路基板に空気を吐出し、
前記一方の回路基板を内部に収納する収納用筐体を備え、
前記収納用筐体は、
前記ダクトと一体形成されている
ことを特徴とするプロジェクター。
【請求項４】
請求項１から請求項３のいずれかに記載のプロジェクターにおいて、
前記シロッコファンは、
前記ダクトを介して前記各回路基板のいずれか一方の回路基板に空気を吐出するとともに、空気を吸入する吸入口が前記各回路基板のいずれか他方の回路基板に向くように配設されている
ことを特徴とするプロジェクター。
【請求項５】
請求項４に記載のプロジェクターにおいて、
前記一方の回路基板は、前記第１の回路基板であり、
前記他方の回路基板は、前記第２の回路基板である
ことを特徴とするプロジェクター。
【発明の詳細な説明】
【技術分野】
【０００１】
本発明は、プロジェクターに関する。
【背景技術】
【０００２】
従来、画像情報に応じた画像を形成して投射するプロジェクターとして、光源ランプ等の各構成部材に電力を供給する電源ユニットと、当該電源ユニットを冷却するシロッコファンとを備えている構成が知られている（例えば、特許文献１参照）。
特許文献１に記載のプロジェクターでは、シロッコファンは、吐出口からの空気の吐出方向が電源ユニットに対して水平方向となるように、ダクトを介して接続される。このシロッコファンは、外部の空気をダクトを介して、電源ユニットに向けて吐出し、電源ユニットを冷却している。
【先行技術文献】
【特許文献】
【０００３】
【特許文献１】特開２００７−２１９１５３号公報
【発明の概要】
【発明が解決しようとする課題】
【０００４】
特許文献１に記載のプロジェクターでは、シロッコファンからの空気の吐出方向が電源ユニットに対して水平方向から接続されているため、シロッコファンを外装筐体内部に配置する際に、配置スペースを広く必要とするという問題がある。
【０００５】
本発明の目的は、シロッコファンの配置スペースを省スペース化しつつ、冷却効率を向上できるプロジェクターを提供することにある。
【課題を解決するための手段】
【０００６】
本発明のプロジェクターは、光源から射出された光束を画像情報に応じて変調して投射するプロジェクターであって、前記光源を駆動する第１の回路基板と前記第１の回路基板を含む各構成要素に電力を供給する第２の回路基板とが積層配置される電源ユニットと、前記電源ユニットの側方に配設され、前記電源ユニットに空気を吐出するシロッコファンと、前記シロッコファンの吐出口から吐出された空気を前記電源ユニットに導くダクトとを備え、前記シロッコファンは、前記吐出口からの空気の吐出方向が前記各回路基板の積層方向に対して近接するように傾斜して配設されていることを特徴とする。
【０００７】
本発明では、シロッコファンからの空気の吐出方向が電源ユニットの積層方向に対して近接するように傾斜してシロッコファンが配設されているので、シロッコファンの配置スペースを大きく必要とせず、省スペース化することができる。
また、シロッコファンを傾斜して配置するので、シロッコファンに接続されるダクトは、例えば、緩やかに湾曲して形成されることとなる。これによれば、シロッコファンから吐出される空気は、ダクトを通過する際に、ダクト内で摩擦を生じることなく流れるため、騒音の発生を抑制でき、さらに圧力損失の発生を抑制でき、冷却効率を向上することができる。
【０００８】
本発明のプロジェクターでは、前記シロッコファンは、前記ダクトを介して前記各回路基板のいずれか一方の回路基板に空気を吐出し、前記第１の回路基板と第２の回路基板との間には、区画板が配設され、前記区画板には、前記シロッコファンの前記吐出方向に沿って延出し、前記シロッコファンを支持する支持部が形成されていることが好ましい。
本発明によれば、第１の回路基板及び第２の回路基板が区画板により区画され、シロッコファンから吐出された空気が各回路基板の一方の回路基板に向けて吐出する。また、区画板には、シロッコファンの吐出方向に沿って延出する支持部が形成されている。これによれば、シロッコファンが駆動することで、シロッコファンへ向けて吸入される空気は他方の回路基板を通り、シロッコファンから吐出される空気は支持部に沿って一方の回路基板に向かう。すなわち、区画板により、各回路基板が区画されているので、各回路基板のいずれか他方から空気を吸入し、いずれか一方の回路基板に空気を確実に吐出でき、第１の回路基板と第２の回路基板との間での空気抜けを防止できる。すなわち、空気の流路を確実に確保でき、電源ユニットの冷却効率を向上できる。
【０００９】
本発明のプロジェクターでは、前記シロッコファンは、前記ダクトを介して前記各回路基板のいずれか一方の回路基板に空気を吐出し、前記一方の回路基板を内部に収納する収納用筐体を備え、前記収納用筐体は、前記ダクトと一体形成されていることが好ましい。
本発明では、各回路基板のいずれか一方の回路基板を収納する収納用筐体は、ダクトと一体形成されているので、ダクトから収納用筐体内のみに向けて空気が吐出される。これによれば、ダクトを通った空気を外部へ漏らすことなく、一方の回路基板のみに確実に吐出できる。
【００１０】
本発明のプロジェクターでは、前記シロッコファンは、前記ダクトを介して前記各回路基板のいずれか一方の回路基板に空気を吐出するとともに、空気を吸入する吸入口が前記各回路基板のいずれか他方の回路基板に向くように配設されていることが好ましい。
ここで、シロッコファンは、吐出口からの空気の吐出方向が電源ユニットの積層方向に対して傾斜して配設されているので、シロッコファンと電源ユニットとの間には、空間が形成されることとなる。
そこで、本発明では、シロッコファンが各回路基板のいずれか一方の回路基板に空気を吐出し、吸入口がいずれか他方の回路基板に向くように配設されているので、シロッコファンの吸入口が当該空間に向くように位置する。そのため、シロッコファンは、当該空間内の空気を吸入し易くなり、空気の吸込量を多くできる。従って、ダクトからいずれか一方の回路基板へ吐出する空気の流量を多くでき、一方の回路基板を良好に冷却できる。
【００１１】
本発明のプロジェクターでは、前記一方の回路基板は、前記第１の回路基板であり、前記他方の回路基板は、前記第２の回路基板であることが好ましい。
ところで、第１の回路基板の発熱量の方が、第２の回路基板の発熱量より大きくなるのが一般的である。
本発明では、吸入した空気を第２の回路基板に通して、次に第１の回路基板に吐出しているので、発熱量の小さい第２の回路基板を冷却した空気が、発熱量の大きい第１の回路基板へ吐出することとなる。従って、高温化した空気が第１の回路基板へ吐出されることがなく、第１の回路基板を良好に冷却できる。
【図面の簡単な説明】
【００１２】
【図１】本発明の第１実施形態に係るプロジェクターの概略構成を模式的に示す図。
【図２】第１実施形態における電源ユニット及びシロッコファンを一体化した斜視図。
【図３】図２における正面図。
【図４】前記電源ユニット及び前記シロッコファンの分解斜視図。
【図５】図２における一体化された電源ユニット及びシロッコファンを外装筐体内に配設した際のＶ−Ｖ線断面図。
【図６】本発明の第２実施形態に係る電源ユニット及びシロッコファンの分解斜視図。
【発明を実施するための形態】
【００１３】
〔第１実施形態〕
以下、本発明に係る第１実施形態を図面に基づいて説明する。
［プロジェクターの構成］
図１は、プロジェクター１の概略構成を模式的に示す図である。
なお、以下では、プロジェクター１において投射側（投射レンズ３が配置された側）を「前面」とし、その反対側を「背面」とする。
プロジェクター１は、画像情報に応じた画像を形成してスクリーン（図示略）上に投射する。このプロジェクター１は、図１に示すように、略直方体状の外装筐体２と、投射光学装置としての投射レンズ３と、光学ユニット４と、プロジェクター１内部の各構成部材に電力を供給する電源ユニット５と、電源ユニット５を冷却するシロッコファン６と、具体的な図示を省略したが、プロジェクター１内部の各構成部材を制御する制御装置等とを備える。
【００１４】
外装筐体２は、全体略直方体形状を有し、本実施形態では合成樹脂により形成されている。この外装筐体２は、プロジェクター１の天面、前面、背面、及び側面をそれぞれ構成するアッパーケース、及びプロジェクター１の底面、前面、背面、及び側面をそれぞれ構成するロアーケース等で構成される。そして、各ケースは、互いにねじ等で固定されている。なお、外装筐体２は、合成樹脂等に限らず、その他の材料にて形成してもよく、例えば、金属等により構成してもよい。
投射レンズ３は、複数のレンズを組み合わせた組レンズとして構成され、光学ユニット４にて形成された画像光をスクリーン上に拡大投射する。
【００１５】
光学ユニット４は、前記制御装置による制御の下、光源から射出された光束を光学的に処理して画像情報に対応した画像光を形成する。この光学ユニット４は、図１に示すように、光源装置４１と、照明光学装置４２と、色分離光学装置４３と、リレー光学装置４４と、光学装置４５と、光源装置４１から射出された光束の照明光軸Ａが内部に設定された照明光軸Ａに対する所定位置に上述の各光学部品４１〜４５を収納する光学部品用筐体４６とを備える。
【００１６】
光源装置４１は、図１に示すように、光源４１１及びリフレクタ４１２等を備える。
そして、光源装置４１は、光源４１１から射出された光束がリフレクタ４１２によって射出方向が揃えられ、照明光学装置４２に向けて光束を射出する。
【００１７】
照明光学装置４２は、図１に示すように、第１レンズアレイ４２１、第２レンズアレイ４２２、偏光変換素子４２３、及び重畳レンズ４２４を備える。そして、光源装置４１から射出された光束は、第１レンズアレイ４２１によって複数の部分光束に分割され、第２レンズアレイ４２２の近傍で結像する。第２レンズアレイ４２２から射出された各部分光束は、その中心軸（主光線）が偏光変換素子４２３の入射面に垂直となるように入射し、偏光変換素子４２３にて略１種類の直線偏光光として射出される。偏光変換素子４２３から直線偏光光として射出され、重畳レンズ４２４を介した複数の部分光束は、光学装置４５の後述する３つの光変調装置４５１上で重畳する。
【００１８】
色分離光学装置４３は、図１に示すように、２枚のダイクロイックミラー４３１，４３２、及び反射ミラー４３３を備え、これらのダイクロイックミラー４３１，４３２、反射ミラー４３３により照明光学装置４２から射出された複数の部分光束を赤、緑、青の３色の色光に分離する機能を有する。
リレー光学装置４４は、図１に示すように、入射側レンズ４４１、リレーレンズ４４３、及び反射ミラー４４２，４４４を備え、色分離光学装置４３で分離された色光、例えば、赤色光を光学装置４５の後述する赤色光側の光変調装置４５１Ｒまで導く機能を有する。
【００１９】
光学装置４５は、入射した光束を画像情報に応じて変調して画像光を形成する。この光学装置４５は、図１に示すように、３つの光変調装置４５１（赤色光側の光変調装置を４５１Ｒ、緑色光側の光変調装置を４５１Ｇ、青色光側の光変調装置を４５１Ｂとする）と、各光変調装置４５１の光路前段側に配置される入射側偏光板４５２と、各光変調装置４５１の光路後段側に配置される射出側偏光板４５３と、色合成光学装置としてのクロスダイクロイックプリズム４５４とを備える。
【００２０】
３つの入射側偏光板４５２は、色分離光学装置４３で分離された各光束のうち、偏光変換素子４２３で揃えられた偏光方向と略同一の偏光方向を有する偏光光のみ透過させ、その他の光束を吸収するものであり、透光性基板上に偏光膜が貼付されて構成されている。
３つの射出側偏光板４５３は、入射側偏光板４５２と略同様の機能を有し、光変調装置４５１を介して射出された光束のうち、一定方向の偏光光を透過し、その他の光束を吸収する。
【００２１】
クロスダイクロイックプリズム４５４は、射出側偏光板４５３から射出された色光毎に変調された各色光を合成してカラー画像を形成する。このクロスダイクロイックプリズム４５４は、４つの直角プリズムを貼り合わせた平面視略正方形状をなし、直角プリズム同士を貼り合わせた界面には、２つの誘電体多層膜が形成されている。これら誘電体多層膜は、光変調装置４５１Ｇから射出され射出側偏光板４５３を介した色光を透過し、光変調装置４５１Ｒ，４５１Ｂから射出され各射出側偏光板４５３を介した各色光を反射する。このようにして、各色光が合成されて画像光が形成される。そして、クロスダイクロイックプリズム４５４で形成された画像光は、投射レンズ３に射出されて、スクリーンへ拡大投射される。
【００２２】
［電源ユニット及びシロッコファンの構成］
図２は、電源ユニット５及びシロッコファン６を一体化した状態を示す斜視図である。
図３は、電源ユニット５及びシロッコファン６を図１における図面視下側から見た側面図である。また、以下で記載する「上」、「下」は、図２、３における図面視において、上下に相当するものである。
電源ユニット５は、プロジェクター１を構成する各電子部品に電力を供給し、図１に示すように、プロジェクター１の前面側の長手方向に沿って、光学ユニット４と略平行に配置されている。この電源ユニット５は、図２、３に示すように、下方から電源ブロック５１と、ダクト部材５２と、光源駆動ブロック５３とが積層配置されている。
【００２３】
シロッコファン６は、図１、２に示すように、電源ユニット５の背面側にネジＮにて取り付けられている。また、シロッコファン６は、空気を吸入する吸入口６１（図５参照）と、空気を吐出する吐出口６２（図４参照）とを備えている。
【００２４】
［電源ブロックの構成］
図４は、電源ユニット５及びシロッコファン６の分解斜視図である。
図５は、図２における一体化された電源ユニット５及びシロッコファン６を外装筐体２内に配設した際のＶ−Ｖ線断面図である。なお、図５における白抜き矢印は、空気の流路を示している。
電源ブロック５１は、図２、３に示すように、電源ユニット５の下部に配設され、図４、５に示すように、第２の回路基板としての回路基板５１１と、回路基板５１１の下面に取り付けられるヒートシンク５１２と、回路基板５１１を内部に収納する電源用筐体５１３とを備えている。この電源ブロック５１は、電源ケーブル（図示略）を介して入力する商用交流電流を直流変換し、各電子部品に応じた電圧に昇圧および減圧した後に、光源駆動ブロック５３および制御ユニット（図示略）等の各電子部品に供給する。
【００２５】
回路基板５１１は、図４、５に示すように、種々の回路素子５１１１及び回路基板５１１の裏面に取り付けられる半導体素子５１１２等を実装している。半導体素子５１１２は、熱を発するため、ヒートシンク５１２が当該熱を放熱している。
【００２６】
ヒートシンク５１２は、金属製の板状体で形成され、ヒートシンク５１２の表面には、図５に示すように、半導体素子５１１２がネジＮにて固定されている。
ヒートシンク５１２と回路基板５１１の下面との隙間には、図４、５に示すように、第１導風空間Ａｒ１が形成され、シロッコファン６の駆動により、外部の空気が第１導風空間Ａｒ１を通って、ヒートシンク５１２を冷却する。そして、この空気は、後述する導入口５１３１Ｂに導入される。
【００２７】
電源用筐体５１３は、底面側が開口しており、図２、３に示すように、回路基板５１１及びヒートシンク５１２を上方から覆っている。この電源用筐体５１３は、図４に示すように、略直方体の箱状に形成される区画板としての筐体本体５１３１と、筐体本体５１３１の天面を覆う電磁シールド材５１３２とを有している。
【００２８】
筐体本体５１３１の背面側には、図４、５に示すように、シロッコファン６の吐出方向に沿って延出し、シロッコファン６を取り付けて支持する支持部５１３１Ａが形成される。この支持部５１３１Ａには、外気を取り込む略円状の導入口５１３１Ｂが形成されている。これにより、シロッコファン６は、図２〜図５に示すように、ネジＮにて電源ユニット５に対してシロッコファン６の吐出方向が回路基板５１１に近接するように傾斜して取り付けられて、シロッコファン６の吸入口６１は、導入口５１３１Ｂと対向する位置に配置される。
これに伴って、支持部５１３１Ａと、電源ブロック５１との間には、図５に示すように、断面視略三角柱状の空間Ｄが形成される。この空間Ｄは、シロッコファン６の吸入口６１付近に形成されるので、シロッコファン６の空気の吸入を容易にし、空気の吸込量を多くする。
【００２９】
また、筐体本体５１３１の前面側は、図５に示すように、前面部５１３１Ｃにより閉塞されている。この前面部５１３１Ｃは、図５に示すように、回路基板５１１の前面側を閉塞するが、ヒートシンク５１２の前面側を閉塞するものではないため、外装筐体２外部から吸気される空気は、回路基板５１１側に導かれることなく、冷却対象であるヒートシンク５１２が配置される第１導風空間Ａｒ１に確実に導かれるようになっている（図５白抜き矢印参照）。
【００３０】
電磁シールド材５１３２は、図４に示すように、板金を加工し、回路基板５１１上に実装される回路素子５１１１等によるＥＭＩ（ElectroMagnetic Interference、電磁干渉）を防止するためのものである。この電磁シールド材５１３２には、上方へ向けて突出した複数の螺合部５１３２Ａが形成されている。
【００３１】
［ダクト部材の構成］
ダクト部材５２は、図４に示すように、上側及び前面側が開口された箱状に形成され、ダクトとしてのダクト部５２１と、収納部５２２とを備え、これらを一体成形したものである。このダクト部材５２は、電源ブロック５１と光源駆動ブロック５３との間に配設され、上方及び前面側が開口された形状を有している。
ダクト部５２１は、図４、５に示すように、湾曲形成され、ダクト部材５２の背面側に設けられている。このダクト部５２１には、シロッコファン６の吐出口６２が接続される。そして、シロッコファン６から吐出される空気が、光源駆動ブロック５３の後述する駆動ブロック用筐体５３２内へ吐出される。
収納部５２２は、図４、５に示すように、光源駆動ブロック５３を収納するとともに、第１導風空間Ａｒ１と後述する第２導風空間Ａｒ２とを区画し、ダクト部５２１から吐出される空気を下部の電源ブロック５１側へ流れないようにするものである。
【００３２】
［光源駆動ブロックの構成］
光源駆動ブロック５３は、図２、３に示すように、電源ユニット５の上部に配設され、図４に示すように、第１の回路基板としての回路基板５３１と、回路基板５３１を内部に収納する駆動ブロック用筐体５３２とを備えている。
回路基板５３１は、図４、５に示すように、種々の回路素子５３１１等を実装している。
この回路素子５３１１としては、例えば、光源装置４１に安定した電圧で電力を供給するための変換回路であり、電源ブロック５１の回路基板５１１から供給される直流電流を整流、変圧して、交流矩形波電流を発生させ、この交流矩形波電流を光源装置４１の光源４１１に供給して、当該光源４１１を点灯させる。この光源駆動ブロック５３は、制御ユニットに電気的に接続され、当該制御ユニットにより、光源駆動ブロック５３を介して光源４１１の点灯制御がなされている。
【００３３】
駆動ブロック用筐体５３２は、図４に示すように、前面側及び背面側が開口された略直方体状に形成される収納用筐体としての筐体本体５３２１と、筐体本体５３２１の上方を覆う電磁シールド材５３２２とを有している。
筐体本体５３２１は、図４に示すように、収納部５２２に収納され、筐体本体５３２１の内部には、ダクト部５２１から吐出された空気を導風する第２導風空間Ａｒ２が形成されている。
筐体本体５３２１の背面側には、ダクト部５２１と連通する開口部５３２１Ａが形成されている。
また、筐体本体５３２１の前面側には、回路基板５３１を側方から収納するための収納開口部５３２１Ｂが形成されている。
【００３４】
電磁シールド材５３２２は、図２、３に示すように、筐体本体５３２１が収納されるダクト部材５２を上方から覆っている。この電磁シールド材５３２２は、図４に示すように、前述した電源ブロック５１の電磁シールド材５１３２と同様に板金を加工し、回路基板５３１上に実装される回路素子５３１１等によるＥＭＩ（ElectroMagnetic Interference、電磁干渉）を防止するためのものである。この電磁シールド材５３２２には、水平方向に延出した複数の螺合部５３２２Ａが形成されている。
この螺合部５３２２Ａは、図２、３に示すように、電源ブロック５１の螺合部５１３２Ａと当接して、上方からネジＮを螺合することで、電磁シールド材５３２２は、電源ブロック５１の電磁シールド材５１３２に対して固定される。
【００３５】
［空気の流路］
ここで、図５を参照して、シロッコファン６が駆動することで、電源ユニット５を冷却する空気の流路を説明する。
先ず、シロッコファン６が駆動すると、外装筐体２の外部の空気が吸入され、当該空気は、第１導風空間Ａｒ１を通って、ヒートシンク５１２を冷却する。
そして、ヒートシンク５１２を冷却した空気は、空間Ｄに入り込む。また、回路基板５１１の上側の周囲の空気もシロッコファン６が駆動することで空間Ｄに吸い寄せられる。そして、空気は、空間Ｄから導入口５１３１Ｂを通って、シロッコファン６の吸入口６１に吸入されて、吐出口６２からダクト部５２１に吐出される。
次に、シロッコファン６により吐出された空気は、ダクト部５２１内を辿って、第２導風空間Ａｒ２に吐出される。第２導風空間Ａｒ２内に吐出された空気は、光源駆動ブロック５３の回路基板５３１を冷却し、外装筐体２外へ排出される。
【００３６】
上述した第１実施形態のプロジェクター１によれば、以下の効果がある。
本実施形態では、シロッコファン６からの空気の吐出方向が各回路基板５１１，５３１の積層方向に対して傾斜するようにシロッコファン６が配設されているので、シロッコファン６の配置スペースを大きく必要とせず、省スペース化することができる。
また、シロッコファン６を傾斜して配置するので、シロッコファン６に接続されるダクト部５２１は、緩やかに湾曲して形成されている。これによれば、シロッコファン６から吐出される空気は、ダクト部５２１を通過する際に、ダクト部５２１内で摩擦を生じることなく流れるため、騒音の発生を抑制でき、さらに圧力損失の発生を抑制でき、冷却効率を向上することができる。
【００３７】
さらに、各回路基板５１１，５３１が筐体本体５１３１により区画され、シロッコファン６から吐出された空気が光源駆動ブロック５３の回路基板５３１に向けて吐出する。また、筐体本体５１３１には、シロッコファン６の吐出方向に沿って延出する支持部５１３１Ａが形成されている。これによれば、シロッコファン６が駆動することで、シロッコファン６へ向けて吸入される空気は電源ブロック５１の回路基板５１１を通り、シロッコファンか６から吐出される空気は支持部５１３１Ａに沿って光源駆動ブロック５３の回路基板５３１を通る。すなわち、筐体本体５１３１により、各回路基板５１１，５３１が区画されているので、電源ブロック５１の回路基板５１１から空気の吸入し、光源駆動ブロック５３の回路基板５３１に空気を確実に吐出でき、各回路基板５１１，５３１の間での空気抜けを防止できる。すなわち、空気の流路を確実に確保でき、電源ユニット５の冷却効率を向上できる。
【００３８】
また、シロッコファン６は、吐出口６２からの空気の吐出方向が電源ユニット５の積層方向に対して傾斜して配設されているので、シロッコファン６と電源ユニット５との間には、空間Ｄが形成されることとなる。これにより、シロッコファン６は、電源ブロック５１内の空気を吸入し易くなり、空気の流れもスムースにできる。従って、回路基板５１１を良好に冷却できるとともにシロッコファン６の騒音も抑制することができる。
【００３９】
さらに、光源駆動ブロック５３の回路基板５３１の発熱量の方が、電源ブロック５１の回路基板５１１の発熱量より大きくなるのが一般的である。そのため、吸入した空気を電源ブロック５１の回路基板５１１に通して、次に光源駆動ブロック５３の回路基板５３１に吐出しているので、発熱量の小さい電源ブロック５１の回路基板５１１を冷却した空気が、発熱量の大きい光源駆動ブロック５３の回路基板５３１へ吐出することとなる。従って、高温化した空気が光源駆動ブロック５３の回路基板５３１へ吐出されることがなく、当該回路基板５３１を良好に冷却できる。
【００４０】
〔第２実施形態〕
次に、本発明の第２実施形態を図面に基づいて説明する。
以下の説明では、前記第１実施形態と同様の構造および同一部材には同一符号を付して、その詳細な説明は省略または簡略化する。
前記第１実施形態での駆動ブロック用筐体５３２の筐体本体５３２１は、ダクト部材５２と別体に構成されたが、本実施形態では、筐体本体５３２１にダクト部５２１が一体形成されている点で相違する。
【００４１】
図６は、本実施形態での電源ユニット５の分解斜視図である。
筐体本体５３２１には、前面側の開口部５３２１Ｂから回路基板５３１が収納される。また、筐体本体５３２１の背面側の側面には、ダクト部５２１が一体形成されている。そのため、本実施形態では、ダクト部５２１から吐出される空気は、筐体本体５３２１内へ吐出されて、回路基板５３１へ確実に吐出されることとなる。
【００４２】
上述した第２実施形態のプロジェクター１によれば、以下の効果がある。
本実施形態では、光源駆動ブロック５３の回路基板５３１を収納する筐体本体５３２１は、ダクト部５２１と一体形成されているので、ダクト部５２１から筐体本体５３２１のみに向けて空気が吐出される。これによれば、ダクト部５２１を通った空気を外部へ漏らすことなく、光源駆動ブロック５３の回路基板５３１のみに確実に吐出できる。
【００４３】
［実施形態の変形］
なお、本発明は前述の実施形態に限定されるものではなく、本発明の目的を達成できる範囲での変形、改良等は本発明に含まれるものである。
前記各実施形態では、電源ブロック５１及び光源駆動ブロック５２は、縦方向に積層配置されていたが、横方向に並列に配置してもよい。
前記各実施形態では、空気の流路は、電源ブロック５１の第１導風空間Ａｒ１〜光源駆動ブロック５３の第２導風空間Ａｒ２であったが、光源駆動ブロック５３の第２導風空間Ａｒ２〜電源ブロック５１の第１導風空間Ａｒ１の流路にしてもよい。または、シロッコファン６から第２導風空間Ａｒ２及び第１導風空間Ａｒ１の両方に対して、空気を吐出してもよい。
【００４４】
前記各実施形態では、電源ユニット５の上から光源駆動ブロック５２、電源ブロック５１として積層配置されたが、電源ユニット５の上から電源ブロック５１、光源駆動ブロック５２として積層配置してもよい。
前記各実施形態では、透過型の光変調装置４５１を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
【産業上の利用可能性】
【００４５】
本発明は、プレゼンテーションやホームシアターに用いられるプロジェクターに利用できる。
【符号の説明】
【００４６】
１…プロジェクター、５…電源ユニット、６…シロッコファン、５１１…回路基板（第２の回路基板）、５３１…回路基板（第１の回路基板）、６１…吸入口、６２…吐出口、４１１…光源、５２１…ダクト部（ダクト）、５１３１…筐体本体（区画板）、５３２１…筐体本体（収納用筐体）。
【図１】
2010224223.tif 000003
【図２】
2010224223.tif 000004
【図３】
2010224223.tif 000005
【図４】
2010224223.tif 000006
【図５】
2010224223.tif 000007
【図６】
2010224223.tif 000008